【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
被検体によって経験される環境光の暴露量を決定するように構成される光感知システムであって、当該システムは：
前記被検体によって装着される第１デバイスによって保持される一次光センサであって、当該一次光センサは、該一次光センサが暴露される環境光の量に関連する一次光暴露情報を伝達する出力信号を生成するように構成される、一次光センサと；
第２デバイスによって保持される二次光センサであって、前記第２デバイスは、前記第１デバイスとは物理的に別個であって接続されておらず、前記被検体に関連付けられており、当該二次光センサは、該二次光センサが暴露される環境光の量に関連する二次光暴露情報を伝達する出力信号を生成するように構成される、二次光センサと；
所与の時間についての前記一次光暴露情報が、前記一次光センサは閾値量の環境光へ暴露されていることを示す場合、前記所与の時間について前記被検体によって経験される前記環境光の暴露量を、前記一次光暴露情報に基づいて決定し、
前記所与の時間についての前記一次光暴露情報が、前記一次光センサは閾値量の環境光へ暴露されていないことを示す場合、前記所与の時間について前記被検体によって経験される前記環境光の暴露量を、前記二次光暴露情報に基づいて決定し、
前記所与の時間についての前記二次光暴露情報が、前記二次光センサは閾値量の環境光へ暴露されていないことを示す場合、前記所与の時間について前記被検体によって経験される前記環境光の暴露量を、異なるユーザに関連付けられるデバイス内に含まれる光センサから取得される三次光暴露情報に基づいて決定する、
ようにコンピュータ読取可能命令によって構成される、１つ以上の物理的なコンピュータプロセッサと；
を備える、システム。
【請求項２】
前記一次光センサは、前記被検体によって装着されるリストバンド、イヤフォン、識別バッジ、ジュエリー、ボタン、ヘアバンド、眼鏡、ブレスレット、ベルト、付け爪、ピン、ピアス、ネクタイ又はクリップのうちの１つ以上に含まれる、
請求項１に記載のシステム。
【請求項３】
前記二次光センサは、前記被検体に関連付けられるスマートフォンに含まれる、
請求項１に記載のシステム。
【請求項４】
前記１つ以上の物理的なコンピュータプロセッサは、前記一次、二次及び三次光暴露情報が、照度、前記環境光のスペクトル、前記環境光の強さ、日付、時刻又は前記被検体の地理的位置のうちの１つ以上を含むように構成される、
請求項１に記載のシステム。
【請求項５】
１人以上のユーザからの光暴露情報を格納するように構成される光暴露情報データベースを更に備え、
前記１つ以上の物理的なコンピュータプロセッサは、
前記所与の時間についての前記二次光暴露情報が、前記二次光センサは閾値量の環境光へ暴露されていないことを示す場合、前記一次及び／又は二次光暴露情報内の日付、時刻又は地理的位置のうちの１つ以上に対応する光暴露情報を前記データベースから取得し、
前記被検体によって経験される前記環境光の暴露量を、データベースの光暴露情報に基づいて決定する、
ように構成される、
請求項４に記載のシステム。
【請求項６】
前記１つ以上の物理的なコンピュータプロセッサは、
前記一次及び／又は二次光暴露情報内の日付、時刻又は地理的位置のうちの１つ以上に対応する前記三次光暴露情報を三次光センサから取得し、該三次光センサは、前記被検体ではない別のユーザによって装着されるか、かつ／又は別のユーザに関連付けられる第３のデバイスによって保持され、
前記被検体によって経験される前記環境光の暴露量を、前記三次光暴露情報に基づいて決定する、
ように構成される、
請求項４に記載のシステム。
【請求項７】
光感知システムを用いて、被検体によって経験される環境光の暴露量を決定する方法であって、前記システムは、一次光センサ、二次光センサ及び１つ以上の物理的なコンピュータプロセッサを備え、当該方法は：
前記被検体によって装着される第１デバイスにより前記一次光センサを保持するステップと；
前記一次光センサにより、前記一次光センサが暴露される環境光の量に関連する一次光暴露情報を伝達する出力信号を生成するステップと；  
第２デバイスにより前記二次光センサを保持するステップであって、前記第２デバイスは、前記第１デバイスとは物理的に別個であって接続されておらず、前記被検体に関連付けられている、ステップと；
前記二次光センサにより、該二次光センサが暴露される環境光の量に関連する二次光暴露情報を伝達する出力信号を生成するステップと；
所与の時間についての前記一次光暴露情報が、前記一次光センサは閾値量の環境光へ暴露されていることを示す場合、前記所与の時間について前記被検体によって経験される前記環境光の暴露量を、前記一次光暴露情報に基づいて決定するステップと；
前記所与の時間についての前記一次光暴露情報が、前記一次光センサは閾値量の環境光へ暴露されていないことを示す場合、前記所与の時間について前記被検体によって経験される前記環境光の暴露量を、前記二次光暴露情報に基づいて決定するステップと；
前記所与の時間についての前記二次光暴露情報が、前記二次光センサは閾値量の環境光へ暴露されていないことを示す場合、前記所与の時間について前記被検体によって経験される前記環境光の暴露量を、異なるユーザに関連付けられるデバイス内に含まれる光センサから取得される三次光暴露情報に基づいて決定するステップと；
を備える、方法。
【請求項８】
前記被検体によって装着されるリストバンド、イヤフォン、識別バッジ、ジュエリー、ボタン、ヘアバンド、眼鏡、ブレスレット、ベルト、付け爪、ピン、ピアス、ネクタイ又はクリップのうちの１つ以上において前記一次光センサを保持するステップ、
を更に備える、請求項７に記載の方法。
【請求項９】
前記二次光センサを、前記被検体に関連付けられるスマートフォンに含めるステップ、
を更に備える、請求項７に記載の方法。
【請求項１０】
前記一次、二次及び三次光暴露情報が、照度、前記環境光のスペクトル、前記環境光の強さ、日付、時刻又は前記被検体の地理的位置のうちの１つ以上を含む、
請求項７に記載の方法。
【請求項１１】
前記システムは、１人以上のユーザからの光暴露情報を格納するように構成される光暴露情報データベースを更に備え、当該方法は：
前記所与の時間についての前記二次光暴露情報が、前記二次光センサは閾値量の環境光へ暴露されていないことを示す場合、前記一次及び／又は二次光暴露情報内の日付、時刻又は地理的位置のうちの１つ以上に対応する光暴露情報を前記データベースから取得するステップと；
前記被検体によって経験される前記環境光の暴露量を、データベースの光暴露情報に基づいて決定するステップと；
を更に備える、請求項１０に記載の方法。
【請求項１２】
前記一次及び／又は二次光暴露情報内の日付、時刻又は地理的位置のうちの１つ以上に対応する閾値量の前記三次光暴露情報を三次光センサから取得し、前記三次光センサは、前記被検体ではない別のユーザによって装着されるか、かつ／又は別のユーザに関連付けられる第３のデバイスによって保持され、
前記被検体によって経験される前記環境光の暴露量を、前記三次光暴露情報に基づいて決定する、
請求項１０に記載の方法。
【請求項１３】
被検体によって経験される環境光の暴露量を決定するように構成される光感知システムであって、当該システムは：
前記被検体によって装着される第１デバイスによって保持される一次手段であって、当該一次手段が暴露される環境光の量に関連する一次光暴露情報を伝達する出力信号を生成するための一次手段と；
第２デバイスによって保持される二次手段であって、前記第２デバイスは、前記第１デバイスとは物理的に別個であって接続されておらず、前記被検体に関連付けられており、当該二次手段が暴露される環境光の量に関連する二次光暴露情報を伝達する出力信号を生成するための二次手段と；
所与の時間についての前記一次光暴露情報が、前記一次手段は閾値量の環境光へ暴露されていることを示す場合、前記所与の時間について前記被検体によって経験される前記環境光の暴露量を、前記一次光暴露情報に基づいて決定するための手段と；
前記所与の時間についての前記一次光暴露情報が、前記一次手段は閾値量の環境光へ暴露されていないことを示す場合、前記所与の時間について前記被検体によって経験される前記環境光の暴露量を、前記二次光暴露情報に基づいて決定するための手段と；
前記所与の時間についての前記二次光暴露情報が、前記二次手段は閾値量の環境光へ暴露されていないことを示す場合、前記所与の時間について前記被検体によって経験される前記環境光の暴露量を、異なるユーザに関連付けられるデバイス内に含まれる光センサから取得される三次光暴露情報に基づいて決定するための手段であって、光暴露情報は、前記異なるユーザに関連付けられるデバイスの近接性に基づく順番で取得される、手段と；
を備える、システム。
【請求項１４】
前記一次光暴露情報を伝達する出力信号を生成するための一次手段は、前記被検体によって装着されるリストバンド、イヤフォン、識別バッジ、ジュエリー、ボタン、ヘアバンド、眼鏡、ブレスレット、ベルト、付け爪、ピン、ピアス、ネクタイ又はクリップのうちの１つ以上に含まれる、
請求項１３に記載のシステム。
【請求項１５】
前記二次光暴露情報を伝達する出力信号を生成するための二次手段は、前記被検体に関連付けられるスマートフォンに含まれる、
請求項１３に記載のシステム。
【請求項１６】
前記一次、二次及び三次光暴露情報は、照度、前記環境光のスペクトル、前記環境光の強さ、日付、時刻又は前記被検体の地理的位置のうちの１つ以上を含む、
請求項１３に記載のシステム。
【請求項１７】
１人以上のユーザからの光暴露情報を格納するための格納手段と；
前記所与の時間についての前記二次光暴露情報が、前記二次手段は閾値量の環境光へ暴露されていないことを示す場合、前記一次及び／又は二次光暴露情報内の日付、時刻又は地理的位置のうちの１つ以上に対応する光暴露情報を前記格納手段から取得するための手段と；
を更に備え、前記被検体によって経験される前記環境光の暴露量を、データベースの光暴露情報に基づいて決定する、
請求項１６に記載のシステム。
【請求項１８】
前記一次及び／又は二次光暴露情報内の日付、時刻又は地理的位置のうちの１つ以上に対応する閾値量の前記三次光暴露情報を三次手段から取得するための手段を更に備え、前記三次手段は、前記被検体ではない別のユーザによって装着されるか、かつ／又は別のユーザに関連付けられる第３のデバイスによって保持され、
前記被検体によって経験される前記環境光の暴露量を、前記三次光暴露情報に基づいて決定する、
請求項１６に記載のシステム。